(57)【要約】【課題】本発明は、装置の見栄えを落とさず不動体と係留するための挿通部材を有し、低コストで製造可能な投射型映像表示装置の提供を目的とする。【解決手段】  本発明の投射型映像表示装置は、筐体と、前記筐体底面に設けられ、装置の投射角度を調整する可動脚１０と、前記筐体底面に底面部材（ボトムカバー２）と一体として設けられ、前記投射角度を調整する際の支点となる固定脚１１とを備える。固定脚１１には通し穴１１ｃが形成される。【選択図】図１
2013041209.tif 000002
【特許請求の範囲】
【請求項１】
筐体と、
前記筐体底面に設けられ、装置の投射角度を調整する可動脚と、
前記筐体底面に底面部材と一体として設けられ、前記投射角度を調整する際の支点となる固定脚とを備え、
前記固定脚には通し穴が形成された、
投射型映像表示装置。
【請求項２】
前記固定脚は、前記筐体底面から曲折部を先端にして突出したＵ字形状である、
請求項１に記載の投射型映像表示装置。
【請求項３】
前記固定脚は、前記筐体底面から曲折部を先端にして突出した十字型のドーム形状である、
請求項１に記載の投射型映像表示装置。
【請求項４】
前記固定脚は、前記筐体底面の２箇所に設けられる、
請求項１〜３のいずれかに記載の投射型映像表示装置。
【請求項５】
前記通し穴により前記底面部材に開口が形成され、
前記底面部材の内側に重ねて設けられ、前記開口を塞ぐ内部構造部材をさらに備える、
請求項１〜４のいずれかに記載の投射型映像表示装置。
【請求項６】
筐体と、
前記筐体底面に設けられ、装置の投射角度を調整する可動脚と、
前記筐体底面において底面部材の内側に重ねて設けられる内部構造部材と一体に形成され、前記底面部材を貫通して突出し、前記投射角度を調整する際の支点となる固定脚とを備え、
前記固定脚には通し穴が形成された、
投射型映像表示装置。
【請求項７】
前記固定脚は、曲折部を先端にして突出したＵ字形状である、
請求項６に記載の投射型映像表示装置。
【請求項８】
前記固定脚は、前記筐体底面から曲折部を先端にして突出した十字型のドーム形状である、
請求項６に記載の投射型映像表示装置。
【請求項９】
前記固定脚は、前記筐体底面の２箇所に設けられる、
請求項６〜８のいずれかに記載の投射型映像表示装置。
【発明の詳細な説明】
【技術分野】
【０００１】
この発明は盗難防止用のワイヤにより係留される投射型映像表示装置に関する。
【背景技術】
【０００２】
持ち運びが可能な投射型映像表示装置であるプロジェクタは、盗難対策として盗難防止用のワイヤにより係留されることが一般的に知られている。
【０００３】
例えば、プロジェクタを机などの不動体に連結させて盗難を防止するためのロック機構として、ケンジントンロックと呼ばれるものが知られている（例えば、特許文献１参照）。ケンジントンロックは、ワイヤに接続されたロック軸をプロジェクタに設けられた挿入孔に挿入した状態で施錠を行うことにより、プロジェクタの挿入孔からロック軸が抜けなくなるように構成されている。
【０００４】
また、ケンジントンロックを用いずに投射型映像表示装置を机などの不動体に連結させるために、ワイヤ挿通部を備えるプロジェクタが知られている（例えば、特許文献２参照）。特許文献２の投写型映像表示装置が備えるワイヤ挿通部材は筐体の内部に格納されているが、これを筐体外部に摺動して盗難防止用のワイヤを挿通することにより装置を係留することが可能で、盗難防止に大きな効果を発揮する。
【先行技術文献】
【特許文献】
【０００５】
【特許文献１】特開２００８−２０５５１号公報
【特許文献２】特開２０１０−１３４１７４号公報
【発明の概要】
【発明が解決しようとする課題】
【０００６】
しかしながら、特許文献１に示すようにロック軸の挿入孔がプロジェクタに設けられている場合は、挿入孔がプロジェクタの外観に現れるため、見栄えが悪くなるという問題がある。
【０００７】
特許文献２では、ワイヤ挿通部材を筐体内部に格納する構成としているものの、係留時にはワイヤ挿通部材を筐体外部に摺動して使用するため、やはり係留状態が顕になり見栄えが悪くなってしまう。さらに、このようなワイヤ挿通部は専用部材で構成されるため、製造コストを増大させるという問題があった。
【０００８】
本発明は上述の問題点に鑑み、装置の見栄えを落とさず不動体と係留するための挿通部材を有し、低コストで製造可能な投射型映像表示装置の提供を目的とする。
【課題を解決するための手段】
【０００９】
本発明の投射型映像表示装置は、筐体と、前記筐体底面に設けられ装置の投射角度を調整する可動脚と、前記筐体底面に底面部材と一体として設けられ前記投射角度を調整する際の支点となる固定脚とを備え、前記固定脚には通し穴が形成されている。
【発明の効果】
【００１０】
本発明の投射型映像表示装置は、筐体と、前記筐体底面に設けられ装置の投射角度を調整する可動脚と、前記筐体底面に底面部材と一体として設けられ前記投射角度を調整する際の支点となる固定脚とを備え、前記固定脚には通し穴が形成されているので、固定脚に盗難防止用のワイヤを挿通して投射型映像表示装置を不動体に係留することが出来る。固定脚は筐体底面に設けられるので、係留箇所は通常使用時に装置の外観に現れず、見栄えを損ねない。また、固定脚をワイヤ挿通部として用いるのでワイヤ挿通部のために専用部材を設ける必要がなく、低コストで製造することが出来る。
【図面の簡単な説明】
【００１１】
【図１】実施の形態１に係る投射型映像表示装置の五面図である。
【図２】設置面と水平に設置された実施の形態１に係る投射型映像表示装置の側面図である。
【図３】設置面から所定の投射角度を設けて設置された実施の形態１に係る投射型映像表示装置の側面図である。
【図４】実施の形態１に係る固定脚の断面図である。
【図５】実施の形態１の変形例に係る投射型映像表示装置の五面図である。
【図６】実施の形態２に係る投射型映像表示装置の五面図である。
【図７】実施の形態２の変形例に係る投射型映像表示装置の五面図である。
【図８】実施の形態３に係る投射型映像表示装置の背面図及び固定脚の断面図である。
【図９】実施の形態３の変形例に係る投射型映像表示装置の背面図及び固定脚の断面図である。
【図１０】実施の形態４に係る投射型映像表示装置の背面図及び固定脚の断面図である。
【図１１】実施の形態４の変形例に係る投射型映像表示装置の背面図及び固定脚の断面図である。
【発明を実施するための形態】
【００１２】
（実施の形態１）
＜構成＞
図１は、実施の形態１の投射型映像表示装置であるプロジェクタ１の構成を示す五面図である。図１（ａ）はプロジェクタ１の上面図、図１（ｂ）はプロジェクタ１の背面図、図１（ｃ）はプロジェクタ１の前面図、図１（ｄ）はプロジェクタ１の側面図、図１（ｅ）はプロジェクタ１の底面図である。
【００１３】
ボトムカバー２、フロントカバー３、リアカバー４、トップカバー５が組み合わさってプロジェクタ１の筐体を構成している。ボトムカバー２が筐体の底面部材、フロントカバー３が筐体の前面部材、リアカバー４が筐体の背面部材、トップカバー５が筐体の上面部材及び側面部材となる。
【００１４】
フロントカバー３からは投射レンズ８が突出している。また、装置内部に搭載したランプ（図示せず）を交換する際に取り外し可能なランプカバー６が、取付ネジ６ａでリアカバー４の一部に重ねて取り付けられる。
【００１５】
図１（ｅ）に示すように、ボトムカバー２には吸排気用の複数のスリットが設けられており、当該スリットに重ねてボトムカバー２には塵埃を除去するフィルター７ａとフィルターカバー７が取り付けられている。
【００１６】
さらに、ボトムカバー２にはプロジェクタ１の設置時の脚として、可動脚１０と固定脚１１が設けられている。可動脚１０はボトムカバー２の前方の左右２箇所に設けられ、図１（ｄ）のＹ方向高さを調整することが可能で、これによりプロジェクタ１の投射角度を調整することが出来る。固定脚１１はボトムカバー２の後方中央に１箇所設けられ、投射角度調整時の支点となる。
【００１７】
可動脚１０は設置面１２と接触する滑り止め部１０ａとネジ部１０ｂとを備えている。可動脚１０は、フロントカバー３に取り付けられたロック解除釦９と干渉した状態でロックされており、ユーザーがプロジェクタ１の前方を持ち上げながらロック解除釦９を図１（ｄ）のＸ方向に指圧すると、干渉状態が解消して図１（ｄ）のＹ方向へ自然落下する。ロック解除釦９の指圧を解除すると可動脚１０は再びロックされる。このように可動脚１０の長さを調整することによって、プロジェクタ１の投射角度を調整することが出来る。
【００１８】
さらに、可動脚１０のネジ部１０ｂを図１（ｂ）のＺ１方向又はＺ２方向に回転させることによって、可動脚１０のＹ方向高さを微調整することが出来る。これにより、投射角度の微調整が可能である。よって、所定の投射角度付近までロック解除釦９を用いて投射角度調整を行った後、ネジ部１０ｂの回転によって投射画像の左右の傾きを調整したり、上下位置の微調整を行う事が出来る。
【００１９】
固定脚１１はボトムカバー２と一体として設けられ、盗難防止用ワイヤ１３を通す穴１１ｃを有している。また、固定脚１１はボトムカバー２から垂直に突出するリブ１１ａと、設置面１２と接触する曲折部１１ｂとを備えたＵ字形状である。このように、装置底面に設けられた固定脚１１を盗難防止用ワイヤ１３の挿通部材として用いることにより、係留状態が装置の外観に現れにくく、見栄えの悪化を避けることが出来る。なお、プロジェクタ１を係留する盗難防止用ワイヤ１３の取り付け強度は、リブ１１ａの切断強度により決定される。
【００２０】
可動脚１０は最も短くした状態で固定脚１１と高さが揃い、プロジェクタ１が水平に設置されるようになっている。この状態での設置面１２からボトムカバー２までの距離ｈは、フィルター７ａの吸塵能力と、可動脚１０と固定脚１１の構造上の制限とに基づいて定められ、液晶型プロジェクタの場合１５〜２０ｍｍ必要である。また、ＤＬＰ（Digital Light Processing）型プロジェクタの場合も、可動脚１０と固定脚１１の構造上１５〜２０ｍｍ必要である。
【００２１】
図２は、設置面１２と水平に設置したプロジェクタ１から投射スクリーン１４に画像を投射している状態を示す。可動脚１０の滑り止め部１０ａと固定脚１１の曲折部１１ｂが設置面１２と接触して、プロジェクタ１は設置面１２と水平に保たれている。図には二点鎖線で画像の投射範囲を示しており、投射スクリーン１４上に投射画像面１５が形成される。なお、固定脚１１の穴１１ｃに盗難防止用ワイヤ１３が通され、プロジェクタ１は不動体と係留されている。
【００２２】
図３は、プロジェクタ１から所定の仰角で投射スクリーン１４に画像を投射している状態を示す。可動脚１０を図３のＹ方向に伸張した状態で、可動脚１０の滑り止め部１０ａと固定脚１１の曲折部１１ｂが設置面１２と接触することにより、プロジェクタ１は所定の投射角度に保たれる。なお、可動脚１０の底には滑り止め部１０ａが設けられているので、このような設置状況でもプロジェクタ１は容易には動かない。図には二点鎖線で画像の投射範囲を示しており、投射画像面１５は水平設置時（図２）よりも投射スクリーン１４の上方に形成される。なお、固定脚１１の穴１１ｃに盗難防止用ワイヤ１３が通され、プロジェクタ１は不動体と係留されている。
【００２３】
図４は、固定脚１１の断面図である。図４（ａ）は、プロジェクタ１の上面図において、固定脚１１の周辺部分のみをプロジェクタ１の上面（又は底面）に平行な面における断面図で描いたものである。図４（ｂ）は、プロジェクタ１の背面図において、固定脚１１の周辺部分のみを図４（ａ）のＡ−Ａ断面図で描いたものである。図４（ｃ）は、図４（ａ）のＢ−Ｂ断面図である。
【００２４】
図４（ｃ）から明らかなように、固定脚１１はボトムカバー２の一部をＵ字形状に曲げて形成されている。そのため、ボトムカバー２には固定脚１１の穴１１ｃと連続する開口２ａが形成される。そこで、ボトムカバー２の内側に内部構造部材１６を重ねて設けることにより、開口２ａを通してプロジェクタ１の内部に塵埃などの異物が侵入することを防止している。
【００２５】
このように、固定脚１１はボトムカバー２と一体として形成されるので、盗難防止ワイヤ１３を挿通するために専用部材を用いる必要がなく、製造コストを抑えることができる。
【００２６】
＜変形例＞
図１〜３では、可動脚１０をボトムカバー２の前面左右に２箇所設けたプロジェクタ１について説明したが、可動脚１０を１箇所のみ有する場合でも、同様の効果を奏する。
【００２７】
また、図５に示すように、固定脚１１をボトムカバー２の後方左右に２箇所設けても良い。２つの固定脚１１を有するプロジェクタ１００の上面図を図５（ａ）に、背面図を図５（ｂ）に、前面図を図５（ｃ）に、側面図を図５（ｄ）に、底面図を図５（ｅ）に示している。固定脚１１を２箇所に配置し、その夫々に盗難防止ワイヤ１３を通すことにより、盗難防止用ワイヤ１３の取り付け強度を左右する固定脚１１のリブ１１ａの切断強度を２倍に増大させる効果がある。
【００２８】
なお、図５では可動脚１０、固定脚１１をそれぞれ２つ有するプロジェクタ１００を示したが、１つの可動脚１０と２つの固定脚１１を有するプロジェクタであっても良い。
【００２９】
＜効果＞
本実施の形態の投射型映像表示装置は、筐体と、前記筐体底面に設けられ、装置の投射角度を調整する可動脚１０と、前記筐体底面に底面部材（ボトムカバー２）と一体として設けられ、前記投射角度を調整する際の支点となる固定脚１１とを備え、固定脚１１には穴１１ｃが形成されるので、穴１１ｃに盗難防止ワイヤ１３を通して投射型映像表示装置を係留することにより、係留状態を隠して見栄えを悪化させずに盗難防止が図られる。また、盗難防止ワイヤ１３の挿通手段に専用部材を使わないので、製造コストの低減にも貢献する。
【００３０】
また、固定脚１１は、筐体底面から曲折部１１ｂを先端にして突出したＵ字形状である。このような形状の固定脚１１を用いて投射型映像表示装置の係留を行うことにより、見栄えを悪化させずに盗難防止を図ることが出来る。また、盗難防止ワイヤ１３の挿通手段に専用部材を使わないので、製造コストの低減にも貢献する。
【００３１】
また、固定脚１１を筐体底面の２箇所に設ける場合、その夫々に盗難防止ワイヤ１３を通すことにより、固定脚１１のリブ１１ａの切断強度が２倍に増大するので、盗難防止用ワイヤ１３の取り付け強度が向上する。
【００３２】
また、穴１１ｃにより底面部材（ボトムカバー２）に開口２ａが形成されるが、ボトムカバー２の内側に重ねて設けられ、開口２ａを塞ぐ内部構造部材１２をさらに備えるので、開口２ａを通してプロジェクタ１の内部に塵埃などの異物が侵入することを防止する。
【００３３】
（実施の形態２）
＜構成＞
図６は、実施の形態２の投射型映像表示装置であるプロジェクタ１０１の構成を示す五面図である。図６（ａ）はプロジェクタ１０１の上面図、図６（ｂ）はプロジェクタ１０１の背面図、図６（ｃ）はプロジェクタ１０１の前面図、図６（ｄ）はプロジェクタ１０１の側面図、図６（ｅ）はプロジェクタ１０１の底面図である。これらの図において、図１に示される構成要素と同じものには同一の参照符号を付している。
【００３４】
プロジェクタ１０１において、ボトムカバー２の後方中央には、投射角度調整時の支点となる固定脚１１０が設けられている。固定脚１１０は、ボトムカバー２から垂直に突出するリブ１１０ａと、設置面１２と接触する曲折部１１０ｂとを有する2組のＵ字形状が交差してなる十字型のドーム形状としてボトムカバー２と一体に形成される。また、固定脚１１０は盗難防止用ワイヤ１３を通す穴１１０ｃを有する。ここで、プロジェクタ１を係留する盗難防止用ワイヤ１３の取り付け強度は、固定脚１１０のリブ１１ａの切断強度により決定される。固定脚１１０以外の構成は図１に示す実施の形態１のプロジェクタ１と同様であるため、説明を省略する。
【００３５】
固定脚１１０を十字型のドーム形状で形成することによって、Ｕ字形状の固定脚１１に比べてリブ１１０ａの切断強度が増すので、盗難防止用ワイヤ１３の取り付け強度が向上する。
【００３６】
＜変形例＞
図６では、可動脚１０をボトムカバー２の前面左右に２箇所設けたプロジェクタ１０１を示しているが、可動脚１０を１箇所のみ有する場合でも、同様の効果を奏する。
【００３７】
また、図７に示すように、固定脚１１０をボトムカバー２の後方左右に２箇所設けても良い。２つの固定脚１１０を有するプロジェクタ１０２の上面図を図７（ａ）に、背面図を図７（ｂ）に、前面図を図７（ｃ）に、側面図を図７（ｄ）に、底面図を図７（ｅ）に示している。固定脚１１０を２箇所に配置し、その夫々に盗難防止ワイヤ１３を通すことにより、盗難防止用ワイヤ１３の取り付け強度を左右する固定脚１１０のリブ１１０ａの切断強度を２倍に増大させる効果がある。
【００３８】
なお、図７では可動脚１０、固定脚１１０をそれぞれ２つ有するプロジェクタ１０２を示したが、１つの可動脚１０と２つの固定脚１１０を有するプロジェクタであっても良い。
【００３９】
＜効果＞
実施の形態２のプロジェクタ１０１，１０２において、固定脚１１０は、筐体底面（ボトムカバー２）から曲折部１１０ｂを先端にして突出した十字型のドーム形状であるので、Ｕ字形状の固定脚１１に比べてリブ１１０ａの切断強度が増し、盗難防止用ワイヤ１３の取り付け強度が向上する。
（実施の形態３）
＜構成＞
図８（ａ）は、実施の形態３のプロジェクタ１０３の底面図、図８（ｂ）〜図８（ｄ）は、プロジェクタ１０３における固定脚１１１の断面図である。図８（ｂ）は、図８（ａ）のＣ−Ｃ断面図である。図８（ｃ）は、プロジェクタ１０３の上面図において、固定脚１１１の周辺部分のみをプロジェクタ１０３の上面（又は底面）に平行な面における断面図で描いたものである。図８（ｄ）は、プロジェクタ１０３の背面図において、固定脚１１１の周辺部分のみを図８（ｃ）のＤ−Ｄ断面図で描いたものである。これらの図において、図１に示される構成要素と同じものには同一の参照符号を付している。
【００４０】
図８（ｂ）から明らかなように、固定脚１１１は内部構造部材１６の一部をＵ字形状に曲げて形成され、ボトムカバー２の逃し穴２ｂを通ってボトムカバー２から突出している。固定脚１１１は、ボトムカバー２から垂直に突出するリブ１１１ａと、設置面１２と接触する曲折部１１１ｂとを有する。プロジェクタ１０３の構成は、固定脚１１１が内部構造部材１６と一体として形成されていること以外は、図１，３に示す実施の形態１のプロジェクタ１と同様であるため、固定脚１１１以外の構成は説明を省略する。
【００４１】
内部構造部材１６と一体として形成した固定脚１１１の穴１１１ｃに盗難防止用ワイヤ１３を通すことにより、専用部材を設けることなくプロジェクタ１０３を不動体に係留することができる。また、装置底面に設けられる固定脚１１１を盗難防止用ワイヤ１３の挿通部材として用いることにより、ワイヤの係留状態が隠されるので、見栄えの悪化を避けることができる。
【００４２】
＜変形例＞
図８では、可動脚１０をボトムカバー２の前面左右に２箇所設けたプロジェクタ１０３を示しているが、可動脚１０を１箇所のみ有する場合でも、同様の効果を奏する。
【００４３】
また、図９に示すように、固定脚１１１をボトムカバー２の後方左右に２箇所設けたプロジェクタ１０４としても良い。図９（ａ）は、プロジェクタ１０４の底面図、図９（ｂ）〜図９（ｄ）は、プロジェクタ１０４における固定脚１１１の断面図である。図９（ｂ）は、図９（ａ）のＥ−Ｅ断面図である。図９（ｃ）は、プロジェクタ１０４の上面図において、固定脚１１１の周辺部分のみをプロジェクタ１０４の上面（又は底面）に平行な面における断面図で描いたものである。図９（ｄ）は、プロジェクタ１０４の背面図において、固定脚１１１の周辺部分のみを図９（ｃ）のＦ−Ｆ断面図で描いたものである。これらの図において、図８に示される構成要素と同じものには同一の参照符号を付している。固定脚１１１を２箇所に配置し、その夫々に盗難防止ワイヤ１３を通すことにより、盗難防止用ワイヤ１３の取り付け強度を左右する固定脚１１１のリブ１１１ａの切断強度を２倍に増大させる効果がある。
【００４４】
なお、図９では可動脚１０、固定脚１１１をそれぞれ２つ有するプロジェクタ１０４を示したが、１つの可動脚１０と２つの固定脚１１１を有するプロジェクタであっても良い。
【００４５】
＜効果＞
実施の形態３の投射型映像表示装置は、筐体と、前記筐体底面に設けられ、装置の投射角度を調整する可動脚１０と、前記筐体底面において底面部材（ボトムカバー２）の内側に重ねて設けられる内部構造部材１２と一体に形成され、ボトムカバー２を貫通して突出し、前記投射角度を調整する際の支点となる固定脚１１１とを備え、固定脚１１１には穴１１１ｃが形成される。穴１１１ｃに盗難防止用ワイヤ１３を通すことにより、投射型映像表示装置を不動体に係留して盗難防止を図ることが出来る。固定脚１１１は筐体底面に設けられるので、係留状態を隠して見栄えの悪化を避ける。また、固定脚１１１は内部構造部材１２と一体に形成されるので、盗難防止ワイヤ１３の挿通手段に専用部材を必要とせず、製造コストの低減に貢献する。
【００４６】
また、固定脚１１１は曲折部１１１ｂを先端にして突出したＵ字形状である。このような形状の固定脚１１１を用いて投射型映像表示装置の係留を行うことにより、見栄えを悪化させずに盗難防止を図ることが出来る。また、盗難防止ワイヤ１３の挿通手段に専用部材を必要とせず、製造コストの低減にも貢献する。
【００４７】
また、固定脚１１１を筐体底面の２箇所に設ける場合、その夫々に盗難防止ワイヤ１３を通すことにより、固定脚１１１のリブ１１１ａの切断強度が２倍に増大するので、盗難防止用ワイヤ１３の取り付け強度が向上する。
（実施の形態４）
＜構成＞
図１０（ａ）は、実施の形態４のプロジェクタ１０５の底面図、図１０（ｂ）〜図１０（ｄ）は、プロジェクタ１０５における固定脚１１２の断面図である。図１０（ｂ）は、図１０（ａ）のＧ−Ｇ断面図である。図１０（ｃ）は、プロジェクタ１０５の上面図において、固定脚１１２の周辺部分のみをプロジェクタ１０５の上面（又は底面）に平行な面における断面図で描いたものである。図１０（ｄ）は、プロジェクタ１０５の背面図において、固定脚１１２の周辺部分のみを図１０（ｃ）のＨ−Ｈ断面図で描いたものである。これらの図において、図６に示される実施の形態２のプロジェクタ１０１の構成要素と同じものには同一の参照符号を付している。
【００４８】
図１０（ｂ）から明らかなように、固定脚１１２は内部構造部材１６の一部をＵ字形状に曲げることにより十字型のドーム形状として形成される。ボトムカバー２には固定脚１１２に対応して４箇所の逃し穴２ｃが形成され、固定脚１１２は逃し穴２ｃを通ってボトムカバー２から突出している。固定脚１１２は、ボトムカバー２から垂直に突出するリブ１１２ａと、設置面１２と接触する曲折部１１２ｂとを有する。固定脚１１２が内部構造部材１６と一体として形成されていること以外は、図６に示す実施の形態２のプロジェクタ１０１と同様であるため、固定脚１１２以外の構成については説明を省略する。
【００４９】
内部構造部材１６と一体として形成した固定脚１１２の穴１１２ｃに盗難防止用ワイヤ１３を通すことにより、専用部材を設けることなくプロジェクタ１０５を不動体に係留することができる。また、装置底面に設けられる固定脚１１２を盗難防止用ワイヤ１３の挿通部材として用いることにより、ワイヤの係留状態が隠されるので、見栄えの悪化を避けることができる。また、固定脚１１２は十字型のドーム形状であるので、Ｕ字形状の固定脚と比べて切断強度が増加し、盗難防止用ワイヤ１３の取り付け強度が向上する。
【００５０】
＜変形例＞
図１０では、可動脚１０をボトムカバー２の前面左右に２箇所設けたプロジェクタ１０５を示しているが、可動脚１０を１箇所のみ有する場合でも、同様の効果を奏する。
【００５１】
また、図１１に示すように、固定脚１１２をボトムカバー２の後方左右に２箇所設けたプロジェクタ１０６としても良い。図１１（ａ）は、プロジェクタ１０６の底面図、図１１（ｂ）〜図１１（ｄ）は、プロジェクタ１０６における固定脚１１２の断面図である。図１１（ｂ）は、図１１（ａ）のＩ−Ｉ断面図である。図１１（ｃ）は、プロジェクタ１０６の上面図において、固定脚１１２の周辺部分のみをプロジェクタ１０６の上面（又は底面）に平行な面における断面図で描いたものである。図１１（ｄ）は、プロジェクタ１０６の背面図において、固定脚１１２の周辺部分のみを図１１（ｃ）のＪ−Ｊ断面図で描いたものである。これらの図において、図１０に示されるプロジェクタ１０５の構成要素と同じものには同一の参照符号を付している。固定脚１１２を２箇所に配置し、その夫々に盗難防止ワイヤ１３を通すことにより、固定脚１１２のリブ１１２ａの切断強度を２倍に増大するので、盗難防止用ワイヤ１３の取り付け強度が向上する。
【００５２】
なお、図１１では可動脚１０、固定脚１１２をそれぞれ２つ有するプロジェクタ１０６を示したが、１つの可動脚１０と２つの固定脚１１２を有するプロジェクタであっても良い。
【００５３】
＜効果＞
実施の形態４の投射型映像表示装置（プロジェクタ１０５，１０６）において、固定脚１１２は、筐体底面（ボトムカバー２）から曲折部１１２ｂを先端にして突出した十字型のドーム形状であるので、Ｕ字形状の固定脚１１１に比べてリブ１１２ａの切断強度が増し、盗難防止用ワイヤ１３の取り付け強度が向上する。
【符号の説明】
【００５４】
１，１００，１０１，１０２，１０３，１０４，１０５，１０６  プロジェクタ、２  ボトムカバー、２ａ  開口、２ｂ  逃し穴、３  フロントカバー、４  リアカバー、５  トップカバー、６  ランプカバー、６ａ  ランプカバー取付ネジ、７  フィルターカバー、７ａ  フィルター、８  投射レンズ、９  ロック解除釦、１０  可動脚、１０ａ  滑り止め部、１０ｂ  ネジ部、１１，１１０，１１１，１１２  固定脚、１１ａ，１１０ａ，１１１ａ，１１２ａ  リブ、１１ｂ，１１０ｂ，１１１ｂ，１１２ｂ  曲折部、１１ｃ，１１０ｃ，１１１ｃ，１１２ｃ  穴、１２  設置面、１３  盗難防止用ワイヤ、１４  投射スクリーン、１５  投射画像面、１６  内部構造部材。
【図１】
2013041209.tif 000003
【図２】
2013041209.tif 000004
【図３】
2013041209.tif 000005
【図４】
2013041209.tif 000006
【図５】
2013041209.tif 000007
【図６】
2013041209.tif 000008
【図７】
2013041209.tif 000009
【図８】
2013041209.tif 000010
【図９】
2013041209.tif 000011
【図１０】
2013041209.tif 000012
【図１１】
2013041209.tif 000013